(57)【要約】【課題】  従来の自動銃器類ではホールドオープン状態を解除するのに手動で行うのが一般的であり、銃の操作に不慣れな場合や銃撃戦・射撃競技さらには悪条件下での手袋着用等の状況で、操作性が悪かったり操作時間が遅れる問題があった。【解決手段】  弾倉の弾丸が無くなるとスライドをホールドオープン状態にすることができるスライドストップ機構、力の伝達を行う連結機構または連結機構とレバー機構、および一方を弾倉に固定される遅延バネの他方に接続された押し板を備えた弾倉押上機構から構成され、ホールドオープン状態において、当該弾倉押上機構を手で挿入押上することによってほぼ自動的に当該ホールドオープン状態を解除するスライドストップ解除機構を提供し、ホールドオープン状態解除の操作性と操作時間を改善することができる。【選択図】図１
2009109171.tif 000002
【特許請求の範囲】
【請求項１】
射撃動作に応じて本体上を移動することができるスライドノッチを備えたスライドと、本体に複数の弾丸を供給することができ装脱着可能な弾倉とを備えた自動銃器類において、本体に設置され弾倉の弾丸が無くなるとスライドノッチに作用してスライドをホールドオープン状態にすることができるテコ型スライドストップ機構と、本体に設置されて力の伝達を行う連結機構と、一方を弾倉に固定される遅延バネの他方に接続された突起部を有する押し板を備えた弾倉押上機構との３種の機構から構成され、ホールドオープン状態において、当該弾倉押上機構を付加した弾倉に新たに弾丸を充填し当該弾倉を手で挿入押上することによって当該連結機構および当該テコ型スライドストップ機構に作用して当該ホールドオープン状態を解除するようにしたことを特徴とするスライドストップ解除機構。
【請求項２】
請求項１記載の自動銃器類において、本体に設置され弾倉の弾丸が無くなるとスライドノッチに作用してスライドをホールドオープン状態にすることができる片持型スライドストップ機構と、本体に設置されテコの動作により力を伝達することができるレバー機構と、請求項１記載の連結機構および弾倉押上機構との４種の機構から構成され、ホールドオープン状態において、当該弾倉押上機構を付加した弾倉に新たに弾丸を充填し当該弾倉を手で挿入押上することによって当該連結機構と当該レバー機構と当該片持型スライドストップ機構に作用して当該ホールドオープン状態を解除するようにしたことを特徴とするスライドストップ解除機構。
【請求項３】
請求項１記載のスライドストップ解除機構において、連結機構を当該弾倉側に取り付けるようにしたことを特徴とするスライドストップ解除機構。
【請求項４】
請求項２記載のスライドストップ解除機構において、連結機構を当該弾倉側に取り付けるようにしたことを特徴とするスライドストップ解除機構。
【発明の詳細な説明】
【技術分野】
【０００１】  本発明は自動式拳銃等の自動銃器類において、スライドストップによって保持されたスライドを解除する機構に関する。さらに本発明はモデル銃、玩具銃、ガス銃および空気銃等においても類似的な機構を有する自動銃器類の場合には、これを包含する。
【背景技術】
【０００２】  自動式拳銃は、射撃時に火薬が燃焼する時に生じるガスの圧力を利用して、排莢や次弾装填を自動化した拳銃である。自動式拳銃の殆どは、弾倉を挿入することで銃に弾丸を供給する。弾倉にはその内側に複数個の弾丸を装着することができる。
一般に、自動式拳銃には半自動拳銃と全自動拳銃がある。またシングルアクションやダブルアクション等の方式がある。【０００３】  以下、図１２、図１３、図１４および図１５を用いて従来の技術を説明する。ここでは、半自動拳銃でダブルアクション方式の射撃動作例を概念的に述べる。
Ａ．図１２及び図１４に示すように、拳銃の本体１に弾丸１６を装填した弾倉１１を挿入する。この場合、弾倉１１内のホロワー１７の上側にある弾丸１６は弾倉バネ１５によって上方向に圧力がかけられている。また、スライドストップ３の固定ピン２０は仮想軸線２２が示すように、本体１にコイルバネ２１を介して、回転できるように取り付けられる。従って、スライドストップ３は矢印２５の方向に常時力が加えられている。図１４の状態で、スライドストップ３の先端部分にあるストップ片９は、本体１内において、仮想線２４ａが示すように、弾倉１１のピット部１９の位置にあるため、スライドストップ３は回転方向２６が下向きになる。このことは図１２のストップ片９が下方に引っ張られ、スライド２に接触しないことになる。【０００４】  Ｂ．図１２において、スライド２を手で後方に引き、放すとスライド２は前方に移動し、途中で弾丸１６が薬室（図示せず）に装填される。
Ｃ．引き金５を引くと撃鉄８および撃針（図示せず）の働きで弾丸１６が銃身１２から発射される。
Ｄ．スライド２が発射の反動で後方に移動し、途中で図１３の排莢部１０から薬莢が排出される。
Ｅ．スライド２がバネの力で前方に移動し、途中で次の弾丸１６を装填する。これ以降は、弾倉１１に弾丸１６が残っている間は上記のＣ．の動作に移行し、同様な動作が繰り返される。【０００５】  Ｆ．図１５に示すように、弾倉１１の弾丸が無くなると、弾倉１１内のホロワー１７が上昇し、スライドストップ３のストップ片９は仮想線２４ｂが示すようにホロワー１７のくぼみ部１８によって押し上げられる。このことは図１３の示すように、スライドストップ３のストップ片９が上昇してスライド２に設けられたスライドノッチ４に引っか掛つてスライド２は後方位置でロックされる。この状態をホールドオープンと呼ぶことにする。【０００６】  Ｇ．次に、弾丸が空になった弾倉１１を、弾倉解放部６を押して本体から取り出す。さらに弾丸１６を装填した新たな弾倉１１を本体１に挿入する。
Ｈ．更に、手でスライドストップ３を押し下げ、ホールドオープンを解除すると、スライド２は前方に移動し、また弾丸１６が薬室（図示せず）に装填される。この後は、前行のＣ．の動作に移行し、同様な射撃動作を行うことが出来る。
以上に述べた背景にあって、本発明は前述のホールドオープン状態にあるスライドストップを手で解除することを必要としない新規なスライドストップ解除機構を提供する。
【特許文献１】  Ｕｎｉｔｅｄ  Ｓｔａｔｅｓ  Ｐａｔｅｎｔ  Ｎｏ．５１３１３１７  Ｔｉｔｌｅ：Ｐｉｓｔｏｌ  ｗｉｔｈ  ａｕｔｏｍａｔｉｃ  ｍｅｃｈａｎｉｓｍ  ｆｏｒ  ｔｈｅ  ｒｅｌｅａｓｅ  ｏｆ  ａ  ｓｌｉｄｅ  ｃａｔｃｈ
【発明の開示】
【発明が解決しようとする課題】
【０００７】  以上に述べたように、ホールドオープン状態を人の手によって解除することを要求することは、次の様ないくつかの問題点を有する。
１．銃の操作に不慣れな人が、緊急時に素早くホールドオープン状態を解除できない場合には重大な不幸を招くことが考えられる。従って、操作を簡単化することは重要である。
２．銃撃戦や射撃競技のように、短時間に弾倉を交換し、ホールドオープン状態を解除することを求められる場合がある。
３．寒冷地や砂漠の様な悪環境下にあっては、非常に分厚い手袋を着用するため、人の手によって小さなスライドストップを解除することは時間を要する。【０００８】  以上、簡単に従来の方法の欠点を例示したが、本発明は従来の問題点を改良する新規で信頼性の高いスライドストップ解除機構を提供することを目的とする。本発明によれば、ホールドオープン状態の解除をほぼ自動的に行い、銃の操作者は人手に依存したスライドストップ解除の操作から解放される。本発明では、スライドストップの従来の機能は維持されるため、当然ながら従来の操作を同様な方法で行うこともできる。
【課題を解決するための手段】
【０００９】  本発明は上記の目的を達成するために、基本的に、次の手段からなる２種類のホールドオープン状態を解除するスライドストップ解除機構を提供する。理解を容易にするために、動作原理を示す図１０及び図１１を参照する。
図１０を参照して第１のスライドストップ解除機構の手段を説明する。第１のスライドストップ解除機構は次の３つの機構から構成される。
１．テコ型スライドストップ機構４０。これは、支点部３１を持つテコ型スライドストップ３０の一方にストップ片９を配置し、他方に力を受けるキャッチ部３２を設ける。さらに、ストップ片９の側にバネ２１を設けて本体１に固定する。このことによりストップ片９は常時矢印４５のように下向きに引っ張られる。
２．連結機構４１。これは、両端に上部ヘッド３３と下部ヘッド３５を有する連結棒３４からなる。
３．弾倉押上機構４２。これは、弾倉１１に固定された弾倉固定板３６に遅延バネ３７を取り付け、遅延バネ３７の他方に押し上げ可能な押し板３８を取り付ける。さらに押し板３８には突起部３９が設けられる。尚、押し板３８は遅延バネ３７によって常時下方向すなわち矢印４６とは逆方向に押されている。
ここで、テコ型スライドストップ機構４０及び連結機構４１は本体１に取り付けられる。弾倉押上機構４２は弾倉１１側に取り付けられ、本体１から自由に装脱着することができる。【００１０】  図１１を参照して第２のスライドストップ解除機構の手段を説明する。第２のスライドストップ解除機構は次の４つの機構から成る。
１．片持型スライドストップ機構５８。これは、支点部５１を持つ片持型スライドストップ５０の上部にストップ片９を配置し、他方に力を受けるキャッチ部５２を設ける。さらに、バネ２１を設けて本体１に固定する。このことによりストップ片９は常時矢印４５のように下向きに引っ張られる。
２．レバー機構５９。これは、支点部５４を有するレバー５５の一方に押作用部５３を設け、他方に力を受ける受ヘッド５６を設ける。
３．連結機構４１。これは、両端に上部ヘッド３３と下部ヘッド３５を有する連結棒３４から成る。
４．弾倉押上機構４２。これは、弾倉１１に固定された弾倉固定板３６に遅延バネ３７を取り付け、遅延バネ３７の他方に押し上げ可能な押し板３８を取り付ける。さらに押し板３８には突起部３９が設けられる。尚、押し板３８は遅延バネ３７によって常時下方向すなわち矢印４６とは逆方向に押されている。
ここで、片持型スライドストップ機構５８、レバー機構５９および連結機構４１は本体１に取り付けられる。弾倉押上機構４２は弾倉１１側に取り付けられ、本体１から自由に装脱着することができる。ここで、レバー機構５９と連結機構４１の配置を入れ替える構造も製作可能である。【００１１】  尚、上記に説明した２種類の手段の中で、本体１にはグリップ部７（図１２参照）付近に取付けるグリップカバー（図示せず）等の付属物を含んでいることは勿論である。従って、連結機構４１やレバー機構５９をグリップカバーの内側に取付けることも可能である。また、連結機構４１やレバー機構５９を弾倉側に取付けることも容易に実現することが可能である。この様に、形状や取付け部位等を変更する機構も本発明に包含される。【００１２】  次にホールドオープン状態における第１および第２のスライドストップ解除機構の作用を述べる。ここでは共通的に、弾倉押上機構４２が付加された弾倉１１に新たに弾丸を充填し、その弾倉１１を手で本体１に挿入する。その後、弾倉１１が弾倉保持機構（図示せず）によって正規の位置に保持された状態から説明する。
上記第１の課題解決手段による作用は次の通りである。
さらに手で弾倉１１を押し上げると、弾倉押上機構４２の押し板３８に設けられた突起部３９が連結機構４１の連結棒３４を押し上げ、これにより、テコ型スライドストップ機構４０のテコ型スライドストップ３０の一方のキャッチ部３２を押し、テコの原理により他方にあるストップ片９を矢印４５の方向に押し下げてホールドオープン状態を解除する。【００１３】  次に上記第２の課題解決手段による作用は次の通りである。
さらに手で弾倉１１を押し上げると、弾倉押上機構４２の押し板３８に設けられた突起部３９が連結機構４１の連結棒３４を押し上げる。この結果、レバー機構５９のレバー５５の一方の受ヘッド５６を押し、テコの原理により他方にある押作用部５３を押し下げる。さらに、片持型スライドストップ５０のキャッチ部５２を押すことによって、ストップ片９を矢印４５の方向に押し下げてホールドオープン状態を解除する。
【発明の効果】
【００１４】  上述したように本発明によれば、ホールドオープン状態において、１．弾倉押上機構が付加された弾倉に新たに弾丸を充填し、その弾倉を手の平で銃の本体に挿入し、弾倉が弾倉保持機構（図示せず）によって正規の位置に保持される。２．さらに手の平で弾倉を押し上げると、上記に示した２種類のスライドストップ機構が作動してホールドオープン状態を解除する。この様に２段階を経てホールドオープン状態を解除することは、次の様な効果がある。【００１５】  第１の効果として、上記の２段階の操作は実際には連続した一連の動作で済む。それは、手の平で弾倉を押し上げることである。このことでスライドストップ解除動作を著しく簡素化し、誤操作を防止することができる。第２の効果として、スライドストップ解除の時間を短縮することができる。第３の効果として、２段階の操作を連続して行うことにより、誤動作を防止し信頼性を向上させることができる。その他に、従来と同様な操作も可能であり、銃の操作者はスライドストップ解除の方法を選択することができる。
上記の動作において、本発明の対象は自動拳銃だけではない。例えば、機関銃や自動ライフル銃等の自動銃器類においても、同様なホールドオープン状態を解除する類似の機構に適応できる。更に、火薬を使用しない、ガス銃、空気銃、モデルガンや玩具銃等の自動銃器類についても本発明の対象となることは明らかである。
【発明を実施するための最良の形態】
【００１６】  以下に、本発明の実施の形態を図１から図９に基づいて詳しく説明する。
図１から図６を参照して、第１のスライドストップ解除機構の１実施例を説明する。図１において、本発明は次の３種類の機構から構成される。
１．支点部３１ａを支点とするテコ型スライドストップ３０ａが配置される。テコ型スライドストップ３０ａの一方にストップ片９ａが、他方にキャッチ部３２ａが設けられる。これらの要素を持つ機構をテコ型スライドストップ機構４０ａと呼ぶ。
２．弾倉１１ａの下部に、弾倉固定板３６ａ及び押し板３８ａが配置され、この両者の間に板状の遅延バネ３７ａが挿入されて、これらが軸固定部７１ｃにより一体化される。ここでは図示しないが、軸固定部７１ｃはネジ等の方法によって固定される。ここで、押し板３８ａには突起部３９ａが設けてある。これらの要素を持つ機構を弾倉押上機構４２ａと呼ぶ。
３．上記のテコ型スライドストップ機構４０ａと弾倉押上機構４２ａを連結するために、連結機構４１ａが設けられる。連結機構４１ａは、連結棒３４ａの両端に上部ヘッド３３ａと下部ヘッド３５ａを設ける。さらに連結棒３４ａは、その両端付近に配置され本体１に固定された上部保持部６６と下部保持部６７に通され固定される。もちろん連結棒３４ａは上下に移動可能である。【００１７】  図１は、ホールドオープン状態であり、ストップ片９ａがスライドノッチ４の空間部に上昇してスライド２を後方にロックしている状態を示している。弾倉押上機構４２ａが付加された弾倉に新たに弾丸を充填し、その弾倉１１ａを手で銃の本体１に挿入すると、その深奥部直前で弾倉１１ａが弾倉保持機構（図示せず）によって正規の位置に保持される。連続的に手で弾倉１１ａを押し上げると、押し板３８ａが上昇し、その突起部３９ａが下部ヘッド３５ａを押し上げ、連動する上部ヘッド３３ａがキャッチ部３２ａを押す。このことにより、テコの作用によりストップ片９ａが下降してスライドノッチ４から外れスライド２のロック状態を解除する。スライド２は強力なバネ（図示せず）によって前方に移動する。すなわちホールドオープン状態が解除されたことになる。【００１８】  上記の実施例では、次の２点が重要である。その一つは、キャッチ部３２ａと上部ヘッド３３ａおよび下部ヘッド３５ａと突起部３９ａの間隙に適当な余裕（あそび）を持たせことが大切である。このことによって、ホールドオープン状態解除の信頼性を向上させることができる。次の点は、板状の遅延バネ３７ａの強さの程度である。通常、弾倉保持機構（図示せず）に弾倉を挿入する力は弱くなっている。従って、遅延バネ３７ａの強さは、弾倉保持機構に弾倉を挿入する力より強くしておくことが必要である。この遅延バネ３７ａの強さを適度に設定することによって、弾倉が確実に弾倉保持機構に保持され、その後、通常ごく短い時間であるが、遅延時間を持って、ホールドオープン状態を確実に解除することができる。【００１９】  図２はテコ型スライドストップ機構４０ａの構成を示す１実施例である。テコ型スライドストップ３０ａは仮想軸線６２に沿ってコイルバネ６３を介し本体１に固定される。コイルバネ６３は太ピン部６５に位置し、支点部３１ａの穴部は細ピン部６４に位置する。従って、テコ型スライドストップ３０ａの左端部は矢印６１の方向に常時引っ張られる。ここで、操作部６０は手動で押し下げることができ、ホールドオープン状態を解除することができる。【００２０】  図３は連結機構４１ａの構成を示す１実施例である。上部保持部６６および下部保持部６７にはそれぞれ穴６８および穴６９が設けられ、その穴に連結棒３４ａが通され、連結棒３４ａは上下動ができる。連結棒３４ａと上部ヘッド３３ａもしくは下部ヘッド３５ａは圧入やネジ込みの様な方法で接続すればよい。【００２１】  図４は、弾倉押上機構４２ａを付加した弾倉１１ａの構成を示す１実施例である。
弾倉バネ１５ａの下端にバネ固定版７０が取り付けられ、両者は弾倉１１ａの内部に置かれる。弾倉押上機構４２ａは、弾倉固定板３６ａ、板状の遅延バネ３７ａ及び押し板３８ａから構成される。さらに、仮想線７２で示す位置で、軸穴７１ａ、遅延バネ３７ａの左側部および軸穴７１ｂがネジ等（図示せず）によって一体化される。【００２２】  図５は、弾倉押上機構４２ａの構成を示す１実施例である。ここで、押し板３８ａの突起部３９ａは、弾倉固定板３６ａの窓部７３を通して上昇することができる。ここで、押し板３８ａの張出部９５が弾倉固定板３６ａの受け部９６の上側に入り込むため、押し板３８ａの下側方向への移動が制限される。
図６は、弾倉押上機構４２ａを有する弾倉１１ａの外観を示す。尚、弾倉固定板３６ａを弾倉１１ａに固定する方法については公知であり説明を省略する。【００２３】  図７および図８を参照して、第２のスライドストップ解除機構の１実施例を説明する。
図７において、本発明は次の４種類の機構から構成される。
１．片持型スライドストップ５０ａの上部にストップ片９ｂが、下方にキャッチ部５２ａが設けられる。これらの要素を持つ機構を片持型スライドストップ機構５８ａと呼ぶ。
２．支点部５４ａを有するレバー５５ａの一方に押作用部５３ａを設け、他方に力を受ける受ヘッド５６ａを設ける。これらの要素を持つ機構をレバー機構５９ａと呼ぶ。
次に、３．連結機構４１ａおよび４．弾倉押上機構４２ａについては、すでに第１のスライドストップ解除機構の１実施例で説明しているものと同一であり、説明を省略する。【００２４】  図７は、ホールドオープン状態であり、ストップ片９ｂがスライドノッチ４の空間部に上昇していてスライド２を後方にロックしている状態を示している。弾倉押上機構４２ａが付加された弾倉に新たに弾丸を充填し、その弾倉１１ａを手で本体１に挿入すると、その深奥部直前で弾倉１１ａが弾倉保持機構（図示せず）によって正規の位置に保持される。連続的に手で弾倉を押し上げると、押し板３８ａが上昇し、その突起部３９ａが下部ヘッド３５ａを押し上げ、連動する上部ヘッド３３ａが受ヘッド５６ａを押す。このことにより、テコの作用により押作用部５３ａがキャッチ部５２ａに作用し、次にストップ片９ｂが下降してスライドノッチ４から外れスライド２のロック状態を解除する。スライド２は強力なバネ（図示せず）によって前方に移動する。すなわちホールドオープン状態が解除されたことになる。【００２５】  上記の実施例においても、第１のスライドストップ解除機構の項で述べたと同様に、次の２点が重要である。その一つは、受ヘッド５６ａと上部ヘッド３３ａおよび下部ヘッド３５ａと突起部３９ａの間隙に適当な余裕（あそび）を持たせことが大切である。次の点は、板状の遅延バネ３７ａの強さの程度を適度に設定することである。【００２６】  図８は片持型スライドストップ機構５８ａおよびレバー機構５９ａの構成を示す１実施例である。片持型スライドストップ機構５８ａにおいて、片持型スライドストップ５０ａの固定ピン５１ａは仮想軸線８１に沿ってコイルバネ８０を介し本体１に固定される。コイルバネ８０の作用によって、片持型スライドストップ５０ａの右端部は矢印８５の方向すなわち、下方に常時引っ張られる。ここで、操作部８６は手動で押し下げることができ、ホールドオープン状態を解除することができる。【００２７】  つぎにレバー機構５９ａにおいて、支点部５４ａを有するレバー５５ａの一方に押作用部５３ａを設け、他方に力を受ける受ヘッド５６ａを設ける。支点部５４ａは仮想軸線８３で示すように、本体１に設けられた軸ピン８４に固定され、回転できる。【００２８】  図９は弾倉押上機構の他の１実施例である。弾倉１１ｂの長さを長くすればそれだけ多くの弾丸を収納することができる。例えば、全自動拳銃や機関銃のようなもによく見られる。弾倉押上機構４２ｂの構成について述べる。まず、弾倉固定板３６ｂと受け部９６ｂは弾倉１１ｂ側に取り付けられる。一方、押し板３８ｂと突起部３９ｂは可動部８８に取り付けられる。弾倉固定板３６ｂと押し板３８ｂの間に棒状の遅延バネ３７ｂが挿入される。この遅延バネ３７ｂによって可動部８８は通常受け部９６ｂのところまで押し下げられている。取付部８９は可動部８８の組立・分解ができるようにしたネジのようなものである。
図９は、ホールドオープン状態を示している。弾倉押上機構４２ｂが付加された弾倉に新たに弾丸を充填した弾倉１１ｂにおいて、可動部８８を握って本体１に挿入すると、その深奥部直前で弾倉１１ｂが弾倉保持機構（図示せず）によって正規の位置に保持される。連続的に手で弾倉１１ｂを押し上げると、可動部８８の突起部３９ｂが下部ヘッド３５ａを押し上げる。この事により、既に述べた第１や第２のスライドストップ解除機構と同様な動作によりホールドオープン状態を解除できることは明らかである。本実施例のように、動作原理を示す図１０及び図１１で述べた機構の変形である場合には、本発明に包含されることは明らかである。
【図面の簡単な説明】
【００２９】
【図１】  本発明の実施形態を示す第１のスライドストップ解除機構の断面的立面図
【図２】  同テコ型スライドストップ機構の分解図
【図３】  同連結機構の分解図
【図４】  同弾倉と弾倉押上機構の分解図
【図５】  同弾倉押上機構の部品図
【図６】  同弾倉と弾倉押上機構の立体図
【図７】  本発明の実施形態を示す第２のスライドストップ解除機構の断面的立面図
【図８】  同片持型スライドストップ機構とレバー機構の分解図
【図９】  本発明の実施形態を示す他の弾倉押上機構の透視的断面図
【図１０】  本発明の実施形態を示す第１のスライドストップ解除機構の原理図
【図１１】  本発明の実施形態を示す第２のスライドストップ解除機構の原理図
【図１２】  ホールドオープン解除状態を示す拳銃の立面図
【図１３】  ホールドオープン状態を示す拳銃の立面図
【図１４】  弾丸を装填した場合の弾倉断面図とスライドストップとの関連図
【図１５】  弾丸を装填しない場合の弾倉断面図とスライドストップとの関連図
【符号の説明】
【００３０】１  本体
２  スライド
３  スライドストップ
４  スライドノッチ
９、９ａ、９ｂ  ストップ片
１１、１１ａ、１１ｂ  弾倉
１６  弾丸
４０、４０ａ  テコ型スライドストップ機構
５８、５８ａ  片持型スライドストップ機構
４１、４１ａ  連結機構
４２、４２ａ、４２ｂ  弾倉押上機構
５９、５９ａ  レバー機構
３０、３０ａ  テコ型スライドストップ
５０、５０ａ  片持型スライドストップ
５５、５５ａ  レバー
３４、３４ａ  連結棒
３６、３６ａ、３６ｂ  弾倉固定板
３７、３７ａ、３７ｂ  遅延バネ
３８、３８ａ、３８ｂ  押し板
３９、３９ａ、３９ｂ  突起部
【図１】
2009109171.tif 000003
【図２】
2009109171.tif 000004
【図３】
2009109171.tif 000005
【図４】
2009109171.tif 000006
【図５】
2009109171.tif 000007
【図６】
2009109171.tif 000008
【図７】
2009109171.tif 000009
【図８】
2009109171.tif 000010
【図９】
2009109171.tif 000011
【図１０】
2009109171.tif 000012
【図１１】
2009109171.tif 000013
【図１２】
2009109171.tif 000014
【図１３】
2009109171.tif 000015
【図１４】
2009109171.tif 000016
【図１５】
2009109171.tif 000017